(57)【要約】【課題】調剤薬局における薬代を効率的かつ好適な精度で確認可能にする。【解決手段】薬代確認支援サーバ１０において、厚生労働省由来の所定情報と、各調剤薬局の取扱情報とを格納し、ユーザの処方箋データが示す処方薬に関して、前記所定情報に基づく調剤薬局ごとの基本料等と、前記所定情報および前記取扱情報に基づく調剤薬局ごとの薬剤料とを、調剤薬局ごとに集計して、各調剤薬局の薬代を算定し、前記処方薬に関して算定した各調剤薬局の薬代のうち、少なくとも、最安値の薬代と当該調剤薬局の情報を、前記ユーザの端末に配信する構成とする。【選択図】図１
2020087225.tif 000002
【特許請求の範囲】
【請求項１】
厚生労働省由来の所定情報と、各調剤薬局の取扱情報とを格納した記憶部と、
ユーザの処方箋データが示す処方薬に関して、前記所定情報に基づく調剤薬局ごとの基本料等と、前記所定情報および前記取扱情報に基づく調剤薬局ごとの薬剤料とを、調剤薬局ごとに集計して、各調剤薬局の薬代を算定する薬代算定部と、
前記処方薬に関して算定した各調剤薬局の薬代のうち、少なくとも、最安値の薬代と当該調剤薬局の情報を、前記ユーザの端末に配信する情報配信部と、
を備える薬代確認支援サーバ。
【請求項２】
前記記憶部は、
前記厚生労働省由来の所定情報として、各調剤薬局に関する施設基準、診療報酬、および薬価の各情報を保持し、前記各調剤薬局の取扱情報として当該調剤薬局における仕入れ情報ないし卸業者における当該調剤薬局への納入情報を保持し、
ユーザの処方箋データが示す処方薬に関して、各調剤薬局の前記施設基準および前記診療報酬の各情報に基づき、処方薬の薬代のうち基本料等と調剤料を調剤薬局ごとに算定する基本料等算定部と、
前記各調剤薬局に関する前記薬価と前記仕入れ情報ないし前記納入情報との各情報に基づき、前記処方薬の薬代のうち薬剤料を調剤薬局ごとに算定する薬剤料算定部とを備え、
前記薬代算定部は、
前記算定した基本料等、調剤料、および薬剤料を、調剤薬局ごとに集計して、各調剤薬局の薬代を算定するものである、
ことを特徴とする請求項１に記載の薬代確認支援サーバ。
【請求項３】
所定期間の経過ごと又は前記ユーザの端末からの要求に応じて、
前記施設基準、前記診療報酬、および薬価の各情報を、厚生労働省のシステムから取得して前記記憶部に格納し、前記仕入れ情報を、調剤薬局または卸業者のシステムから取得して前記記憶部に格納する、情報取得部を備える、
ことを特徴とする請求項２に記載の薬代確認支援サーバ。
【請求項４】
前記情報配信部は、
前記処方薬に関して算定した各調剤薬局の薬代のうち、少なくとも、最安値および最高値の各薬代と当該調剤薬局の情報を、前記ユーザの端末に配信するものである、
ことを特徴とする請求項１〜３のいずれかに記載の薬代確認支援サーバ。
【請求項５】
前記情報配信部は、
前記処方薬に関して算定した各調剤薬局の薬代の高低に基づいて各薬代と当該調剤薬局の情報をソートしたリストを生成し、当該リストを前記ユーザの端末に配信するものである、
ことを特徴とする請求項１〜４のいずれかに記載の薬代確認支援サーバ。
【請求項６】
前記情報配信部は、
一連の前記算定に伴い得られる、
前記基本料等が含む調剤基本料、後発医薬品調剤体制加算、地域支援体制加算、および服薬管理指導料、の少なくともいずれかの最安値から最高値の間の値幅、
前記処方薬に関して、調剤薬局間で差異が無い前記調剤料、
前記処方薬に対応する、先発医薬品および後発医薬品の薬剤料、
の少なくともいずれかの情報を、前記ユーザの端末に配信するものである、
ことを特徴とする請求項１〜５のいずれかに記載の薬代確認支援サーバ。
【請求項７】
前記情報配信部は、
前記処方薬に対応する先発医薬品および後発医薬品の薬剤料として、仕入れ情報が無い調剤薬局における前記後発医薬品に関して、前記薬価に基づく値幅を前記ユーザの端末に配信し、仕入れ情報が有る調剤薬局における前記後発医薬品に関して、前記仕入れ情報に基づく値幅を前記ユーザの端末に配信するものである、
ことを特徴とする請求項６に記載の薬代確認支援サーバ。
【請求項８】
前記情報配信部は、
前記情報を前記ユーザの端末に配信するに際し、前記処方薬に対応する先発医薬品または後発医薬品を在庫している調剤薬局を前記仕入れ情報に基づき特定し、該当調剤薬局に関する情報を前記ユーザの端末に配信するものである、
ことを特徴とする請求項７に記載の薬代確認支援サーバ。
【請求項９】
前記情報配信部は、
前記特定した調剤薬局が在庫し、前記処方薬に対応する先発医薬品または後発医薬品の一覧を、当該調剤薬局ごとの処方可能性のある薬剤一覧として前記ユーザの端末に配信するものである、
ことを特徴とする請求項８に記載の薬代確認支援サーバ。
【請求項１０】
前記情報配信部は、
前記情報を前記ユーザの端末に配信するに際し、前記処方箋データまたは前記ユーザが指定する特定薬である先発医薬品または後発医薬品を在庫している調剤薬局を、前記仕入れ情報に基づき特定し、該当調剤薬局に関する情報を前記ユーザの端末に配信するものである、
ことを特徴とする請求項７に記載の薬代確認支援サーバ。
【請求項１１】
前記情報配信部は、
前記情報を前記ユーザの端末に配信するに際し、前記ユーザの端末から当該ユーザの現在位置またはユーザ指定の場所の情報を取得し、前記配信の対象となっている情報のうち、前記現在位置または前記場所から所定の距離又は位置に存在する調剤薬局に関する情報を配信するものである、
ことを特徴とする請求項１〜１０のいずれかに記載の薬代確認支援サーバ。
【請求項１２】
前記情報配信部は、
前記情報を前記ユーザの端末に配信するに際し、前記調剤薬局のシステムから当該調剤薬局における混雑状況の情報を取得し、前記配信の対象となっている情報のうち、前記混雑状況が所定レベル以下である調剤薬局に関する情報を配信するものである、
ことを特徴とする請求項１〜１１のいずれかに記載の薬代確認支援サーバ。
【請求項１３】
前記情報配信部は、
前記情報の配信に応じて、前記ユーザによる調剤薬局の選択指示を前記ユーザの端末から受けた場合、前記処方箋データを前記調剤薬局の端末に送信するものである、
ことを特徴とする請求項１〜１２のいずれかに記載の薬代確認支援サーバ。
【請求項１４】
前記ユーザの処方箋に対する文字認識処理またはコード読み取り処理により、または、前記ユーザの端末から前記処方箋の記載データを受信することで前記処方箋データを取得する、処方箋データ取得部を備える、
ことを特徴とする請求項１〜１３のいずれかに記載の薬代確認支援サーバ。
【請求項１５】
前記情報取得部は、
調剤薬局から前記ユーザに提供された調剤情報に対する文字認識処理またはコード読み取り処理により、または、前記ユーザの端末または前記調剤薬局の端末から前記調剤情報のデータを受信することで、当該調剤薬局での前記処方薬の販売価格の情報を取得し、前記販売価格の情報を調剤薬局ごとに集約することで、当該調剤薬局における取扱薬材の販売価格リストを生成し、当該販売価格リストを前記仕入れ情報として記憶部に格納するものである、
ことを特徴とする請求項１に記載の薬代確認支援サーバ。
【請求項１６】
情報処理装置が、
厚生労働省由来の所定情報と、各調剤薬局の取扱情報とを格納した記憶部を備えて、
ユーザの処方箋データが示す処方薬に関して、前記所定情報に基づく調剤薬局ごとの基本料等と、前記所定情報および前記取扱情報に基づく調剤薬局ごとの薬剤料とを、調剤薬局ごとに集計して、各調剤薬局の薬代を算定するステップと、
前記処方薬に関して算定した各調剤薬局の薬代のうち、少なくとも、最安値の薬代と当該調剤薬局の情報を、前記ユーザの端末に配信するステップと、
を実行する薬代確認支援方法。
【請求項１７】
厚生労働省由来の所定情報と、各調剤薬局の取扱情報とを格納した記憶部を備える情報処理装置に、
ユーザの処方箋データが示す処方薬に関して、前記所定情報に基づく調剤薬局ごとの基本料等と、前記所定情報および前記取扱情報に基づく調剤薬局ごとの薬剤料とを、調剤薬局ごとに集計して、各調剤薬局の薬代を算定するステップと、
前記処方薬に関して算定した各調剤薬局の薬代のうち、少なくとも、最安値の薬代と当該調剤薬局の情報を、前記ユーザの端末に配信するステップと、
を実行させる薬代確認支援プログラム。
【発明の詳細な説明】
【技術分野】
【０００１】
本開示は、調剤薬局における薬代の確認支援を行う薬代確認支援サーバ、方法およびプログラムに関する。
【背景技術】
【０００２】
医療機関から処方箋を受領した患者は、特段の検討を行うことなく、例えば、その医療機関に隣接する薬局に赴き、処方薬を購入する状況が一般的である。ところが患者としては、自身にとって都合のよい条件で処方薬の購入を行いたいニーズを持っている。
【０００３】
そうした条件とは、例えば、医療機関ではなく自宅や職場からのアクセスが良好といった条件や、ジェネリック医薬品を選択できるといった条件、或いは、所望の時刻に購入が可能な営業時間の店舗である、といった条件等が該当する。
【０００４】
そこで、こうした条件に対応した処方薬購入を支援する従来技術としては、例えば、新薬からジェネリック医薬品に変更した被保険者又は被扶養者に対し、その薬価の差額に応じたポイントを付与し、インターネット上に開設した特定ウェブサイトから、前記ポイントを、複数あるサービスの中から所望のサービスを選択して使用することができるポイント付与サービスシステム（特許文献１参照）などが提案されている。こうした特許文献１の技術によれば、先発医薬品からジェネリック医薬品への変更にインセンティブを伴うことになり、患者として経済性をより追求しやすくなる。
【０００５】
また他にも、患者が調剤薬局の選択システムにアクセスし、調剤薬局と受取予定時刻を指定可能な技術（特許文献２参照）なども提案されている。こうした特許文献２の技術によれば、患者が自身の都合に応じて効率的に病院の利用や薬の受取を行えるといった効果がある。
【先行技術文献】
【特許文献】
【０００６】
【特許文献１】特開２０１４−９８９８７号公報
【特許文献２】特開２００３−３４５９０２号公報
【発明の概要】
【発明が解決しようとする課題】
【０００７】
政府による施策等もあり、調剤薬局を訪れた患者が、先発医薬品に代えて後発医薬品（ジェネリック）を選択するか否か、その要否について問われる状況は珍しくない。
【０００８】
ところが、こうした状況で後発医薬品を選択する患者であっても、同成分の後発医薬品の間で価格差が存在しうることや、同一製品の後発医薬品でも薬局間で薬代が異なりうることは認識していない。
【０００９】
患者がこうした認識を持ち得ない状況であれば、後発医薬品の選択有無にかかわらず、実際には、より低廉な薬代での処方薬の購入機会を逸している可能性も大いにある。
【００１０】
そこで大切なことは、患者にとって、少なくとも経済的に好ましい条件での処方薬の購入を行えるよう、調剤薬局における薬代の情報が認識可能なようにオープンに提供されることである。しかしながら、そうしたニーズに応える技術、サービスは提供されていない。
【００１１】
しかもこうした現状において、処方薬の代金算定根拠のうち、厚生労働省が公開する情報の他に、調剤薬局それぞれで管理する情報が算定結果に大きく影響するが、当該情報は公開情報ではなく、良好な精度での算定には自ずと限界がある。
【００１２】
そこで本開示の目的は、調剤薬局における薬代を効率的かつ好適な精度で確認可能にする技術を提供することにある。
【課題を解決するための手段】
【００１３】
上記目的を達成するために、本開示の一態様における薬代確認支援サーバは、厚生労働省由来の所定情報と、各調剤薬局の取扱情報とを格納した記憶部と、ユーザの処方箋データが示す処方薬に関して、前記所定情報に基づく調剤薬局ごとの基本料等と、前記所定情報および前記取扱情報に基づく調剤薬局ごとの薬剤料とを、調剤薬局ごとに集計して、各調剤薬局の薬代を算定する薬代算定部と、前記処方薬に関して算定した各調剤薬局の薬代のうち、少なくとも、最安値の薬代と当該調剤薬局の情報を、前記ユーザの端末に配信する情報配信部と、を備える。
【００１４】
また、本開示の一態様における薬代確認支援サーバでは、前記記憶部は、前記厚生労働省由来の所定情報として、各調剤薬局に関する施設基準、診療報酬、および薬価の各情報を保持し、前記各調剤薬局の取扱情報として当該調剤薬局における仕入れ情報ないし卸業者における当該調剤薬局への納入情報を保持し、ユーザの処方箋データが示す処方薬に関して、各調剤薬局の前記施設基準および前記診療報酬の各情報に基づき、処方薬の薬代のうち基本料等と調剤料を調剤薬局ごとに算定する基本料等算定部と、前記各調剤薬局に関する前記薬価と前記仕入れ情報ないし前記納入情報との各情報に基づき、前記処方薬の薬代のうち薬剤料を調剤薬局ごとに算定する薬剤料算定部とを備え、前記薬代算定部は、前記算定した基本料等、調剤料、および薬剤料を、調剤薬局ごとに集計して、各調剤薬局の薬代を算定するものである、としてもよい。
【００１５】
また、本開示の一態様における薬代確認支援サーバでは、所定期間の経過ごと又は前記ユーザの端末からの要求に応じて、前記施設基準、前記診療報酬、および薬価の各情報を、厚生労働省のシステムから取得して前記記憶部に格納し、前記仕入れ情報を、調剤薬局または卸業者のシステムから取得して前記記憶部に格納する、情報取得部を備える、としてもよい。
【００１６】
また、本開示の一態様における薬代確認支援サーバでは、前記情報配信部は、前記処方薬に関して算定した各調剤薬局の薬代のうち、少なくとも、最安値および最高値の各薬代と当該調剤薬局の情報を、前記ユーザの端末に配信するものである、としてもよい。
【００１７】
また、本開示の一態様における薬代確認支援サーバでは、前記情報配信部は、前記処方薬に関して算定した各調剤薬局の薬代の高低に基づいて各薬代と当該調剤薬局の情報をソートしたリストを生成し、当該リストを前記ユーザの端末に配信するものである、としてもよい。
【００１８】
また、本開示の一態様における薬代確認支援サーバでは、前記情報配信部は、一連の前記算定に伴い得られる、前記基本料等が含む調剤基本料、後発医薬品調剤体制加算、地域支援体制加算、および服薬管理指導料、の少なくともいずれかの最安値から最高値の間の値幅、前記処方薬に関して、調剤薬局間で差異が無い前記調剤料、前記処方薬に対応する、先発医薬品および後発医薬品の薬剤料、の少なくともいずれかの情報を、前記ユーザの端末に配信するものである、としてもよい。
【００１９】
また、本開示の一態様における薬代確認支援サーバでは、前記情報配信部は、前記処方薬に対応する先発医薬品および後発医薬品の薬剤料として、仕入れ情報が無い調剤薬局における前記後発医薬品に関して、前記薬価に基づく値幅を前記ユーザの端末に配信し、仕入れ情報が有る調剤薬局における前記後発医薬品に関して、前記仕入れ情報に基づく値幅を前記ユーザの端末に配信するものである、としてもよい。
【００２０】
また、本開示の一態様における薬代確認支援サーバでは、前記情報配信部は、前記情報を前記ユーザの端末に配信するに際し、前記処方薬に対応する先発医薬品または後発医薬品を在庫している調剤薬局を前記仕入れ情報に基づき特定し、該当調剤薬局に関する情報を前記ユーザの端末に配信するものである、としてもよい。
【００２１】
また、本開示の一態様における薬代確認支援サーバでは、前記情報配信部は、前記特定した調剤薬局が在庫し、前記処方薬に対応する先発医薬品または後発医薬品の一覧を、当該調剤薬局ごとの処方可能性のある薬剤一覧として前記ユーザの端末に配信するものである、としてもよい。
【００２２】
また、本開示の一態様における薬代確認支援サーバでは、前記情報配信部は、前記情報を前記ユーザの端末に配信するに際し、前記処方箋データまたは前記ユーザが指定する特定薬である先発医薬品または後発医薬品を在庫している調剤薬局を、前記仕入れ情報に基づき特定し、該当調剤薬局に関する情報を前記ユーザの端末に配信するものである、としてもよい。
【００２３】
また、本開示の一態様における薬代確認支援サーバでは、前記情報配信部は、前記情報を前記ユーザの端末に配信するに際し、前記ユーザの端末から当該ユーザの現在位置またはユーザ指定の場所の情報を取得し、前記配信の対象となっている情報のうち、前記現在位置または前記場所から所定の距離又は位置に存在する調剤薬局に関する情報を配信するものである、としてもよい。
【００２４】
また、本開示の一態様における薬代確認支援サーバでは、前記情報配信部は、前記情報を前記ユーザの端末に配信するに際し、前記調剤薬局のシステムから当該調剤薬局における混雑状況の情報を取得し、前記配信の対象となっている情報のうち、前記混雑状況が所定レベル以下である調剤薬局に関する情報を配信するものである、としてもよい。
【００２５】
また、本開示の一態様における薬代確認支援サーバでは、前記情報配信部は、前記情報の配信に応じて、前記ユーザによる調剤薬局の選択指示を前記ユーザの端末から受けた場合、前記処方箋データを前記調剤薬局の端末に送信するものである、としてもよい。
【００２６】
また、本開示の一態様における薬代確認支援サーバでは、前記ユーザの処方箋に対する文字認識処理またはコード読み取り処理により、または、前記ユーザの端末から前記処方箋の記載データを受信することで前記処方箋データを取得する、処方箋データ取得部を備える、としてもよい。
【００２７】
また、本開示の一態様における薬代確認支援サーバでは、前記情報取得部は、調剤薬局から前記ユーザに提供された調剤情報に対する文字認識処理またはコード読み取り処理により、または、前記ユーザの端末または前記調剤薬局の端末から前記調剤情報のデータを受信することで、当該調剤薬局での前記処方薬の販売価格の情報を取得し、前記販売価格の情報を調剤薬局ごとに集約することで、当該調剤薬局における取扱薬剤の販売価格リストを生成し、当該販売価格リストを前記仕入れ情報として記憶部に格納するものである、としてもよい。
【００２８】
上記目的を達成するために、本開示の一態様における薬代確認支援方法は、情報処理装置が、厚生労働省由来の所定情報と、各調剤薬局の取扱情報とを格納した記憶部を備えて、ユーザの処方箋データが示す処方薬に関して、前記所定情報に基づく調剤薬局ごとの基本料等と、前記所定情報および前記取扱情報に基づく調剤薬局ごとの薬剤料とを、調剤薬局ごとに集計して、各調剤薬局の薬代を算定するステップと、前記処方薬に関して算定した各調剤薬局の薬代のうち、少なくとも、最安値の薬代と当該調剤薬局の情報を、前記ユーザの端末に配信するステップと、を実行するものである。
【００２９】
また、上記目的を達成するために、本開示の一態様における薬代確認支援プログラムは、厚生労働省由来の所定情報と、各調剤薬局の取扱情報とを格納した記憶部を備える情報処理装置に、ユーザの処方箋データが示す処方薬に関して、前記所定情報に基づく調剤薬局ごとの基本料等と、前記所定情報および前記取扱情報に基づく調剤薬局ごとの薬剤料とを、調剤薬局ごとに集計して、各調剤薬局の薬代を算定するステップと、前記処方薬に関して算定した各調剤薬局の薬代のうち、少なくとも、最安値の薬代と当該調剤薬局の情報を、前記ユーザの端末に配信するステップと、を実行させるものである。
【発明の効果】
【００３０】
本開示によれば、調剤薬局における薬代を、効率的かつ好適な精度で確認可能となる。
【図面の簡単な説明】
【００３１】
【図１】本実施形態の薬代確認支援サーバを含むネットワーク構成例の図である。
【図２】本実施形態における薬代確認支援サーバの構成例を示す図である。
【図３】本実施形態におけるユーザ端末の構成例を示す図である。
【図４】本実施形態における施設基準情報の構成例を示す図である。
【図５】本実施形態における診療報酬情報の構成例を示す図である。
【図６】本実施形態における薬価情報の構成例を示す図である。
【図７】本実施形態における仕入れ情報の構成例を示す図である。
【図８】本実施形態における在庫情報の構成例を示す図である。
【図９】本実施形態における混雑情報の構成例を示す図である。
【図１０】本実施形態におけるコード変換情報の構成例を示す図である。
【図１１】本実施形態における薬代確認支援方法のフロー例１を示す図である。
【図１２】本実施形態における薬代確認支援方法のフロー例２を示す図である。
【図１３】本実施形態における薬代確認支援方法のフロー例３を示す図である。
【図１４】本実施形態における薬代確認支援方法のフロー例４を示す図である。
【図１５】本実施形態における薬代確認支援方法のフロー例５を示す図である。
【図１６】本実施形態における画面の例１を示す図である。
【図１７】本実施形態における画面の例２を示す図である。
【図１８】本実施形態における画面の例３を示す図である。
【図１９】本実施形態における画面の例４を示す図である。
【図２０】本実施形態における画面の例５を示す図である。
【図２１】本実施形態における画面の例６を示す図である。
【図２２】本実施形態における画面の例７を示す図である。
【図２３】本実施形態における画面の例８を示す図である。
【図２４】本実施形態における画面の例９を示す図である。
【発明を実施するための形態】
【００３２】
＜薬代確認支援サーバを含むネットワーク構成＞
以下に本開示の実施形態について図面を用いて詳細に説明する。図１は、本実施形態の薬代確認支援サーバ１０を含むネットワーク構成例の図である。
【００３３】
本実施形態の薬代確認支援サーバ１０は、所定の処方箋データに基づき各調剤薬局での薬代に関する情報を、所定のウェブサイトを介して患者等に適宜に提供するサーバ装置を想定する。
【００３４】
このため図１で例示するネットワーク１には、上述の薬代確認支援サーバ１０の他に、ユーザ端末２、薬局システム３、卸業者システム４、および厚労省システム５が通信可能に接続されている。
【００３５】
このうちユーザ端末２は、処方薬の購入を行う患者（代理者の概念も含みうる。以下同様）が操作する端末である。ユーザ端末２としては、ネットワーク１への適宜な通信機能を備えた個人用電子機器であり、スマートフォン、タブレット端末、ＰＣ等を想定できる。
【００３６】
また、その構成として、ユーザ端末２には、一般的な情報処理端末としての構成に加え、アプリ２１２１、ＧＰＳユニット２０８、およびカメラユニット２０９が少なくとも含まれている。
【００３７】
このうちアプリ２１２１は、携帯端末上で動作するモバイルアプリケーションであり、薬代確認支援サーバ１０がネットワーク１上で配信する、調剤薬局における薬代に関する情報の取得および出力を行うためのアプリケーションである。
【００３８】
また、ＧＰＳユニット２０８は、ＧＰＳ衛星の発信する測位信号を受信し、自機の現在位置および現在日時を特定するユニットである。このＧＰＳユニット２０８で得られる現在位置および現在日時の各値は、薬代確認支援サーバ１０が配信する調剤薬局ごとの薬代の情報を、上述の患者の現在位置から所定の距離又は位置にある調剤薬局に関するものに絞り込む際に利用されることとなる。
【００３９】
また、カメラユニット２０９は、いわゆるデジタルカメラのユニットであり、アプリ２１２１からの指示を受けて起動し、アプリ２１２１における文字認識エンジンまたはコード読み取りエンジンに提供するイメージを撮影する。なお、本実施形態におけるカメラユニット２０９が撮影対象とするのは、患者が提示した処方箋を想定する。
【００４０】
一方、薬局システム３は、当該調剤薬局における薬の仕入れ情報３００および在庫情報３０１を、薬代確認支援サーバ１０に配信するシステムである。
【００４１】
具体的には、当該調剤薬局が卸業者から仕入れた薬の各種情報（在庫情報含む）を管理し、また、当該調剤薬局における混雑状況を監視し、これらに関する各種情報をネットワーク１経由で薬代確認支援サーバ１０に配信するサーバ装置を想定できる。
【００４２】
なお、こうした薬局システム３は、薬の在庫管理システムおよび店内の混雑状況を監視するシステムと連携可能となっている。
【００４３】
また、卸業者システム４は、上述の調剤薬局に薬を卸売りする卸業者のシステムである。この卸業者システム４は、調剤薬局に薬を納入した際の納入情報を管理し、これをネットワーク１経由で薬代確認支援サーバ１０に配信するサーバ装置を想定できる。
【００４４】
なお、上述の納入情報４００は、薬局システム３における仕入れ情報３００と対をなすもので、薬の売買情報を納入側から見た情報となる。換言すれば、薬局システム３が保持する仕入れ情報３００は、薬の売買情報を仕入れ側から見た情報となる。
【００４５】
また、厚労省システム５は、厚生労働省ないしその委託事業者等が運用するシステムであり、調剤薬局や医療機関などに関して管理している情報を、適宜公開するサーバ装置となる。
【００４６】
本実施形態における厚労省システム５が公開している情報は、例えば、施設基準情報５００、診療報酬情報５０１、および薬価情報５０２といった情報となる。
【００４７】
こうした情報は、例えば、薬代確認支援サーバ１０からの要求に応じて又は所定期間の経過ごとに、厚労省システム５から薬代確認支援サーバ１０に配信される。また、これらの情報は、薬代確認支援サーバ１０において、施設基準情報３０、診療報酬情報３１、および薬価情報３２として保持されることとなる。
【００４８】
上述のようなネットワーク構成を前提として、処方箋を保持する患者は、ユーザ端末２のアプリ２１２１を操作して上述のウェブサイトにアクセスする。また患者は、当該ウェブサイトのインターフェイスに対し、ユーザ端末２を操作して自身の処方箋の内容を入力し、各調剤薬局での薬代に関する情報提供をリクエストすることとなる。
【００４９】
なお、患者がウェブサイトで処方箋の内容を入力することに代え、処方箋に対する文字認識処理またはコード読み取り処理で処方箋データを得て、アプリ２１２１を介してウェブサイトすなわち薬代確認支援サーバ１０に送信するとしてもよい。
【００５０】
この場合のアプリ２１２１は、例えば患者指示に応じてカメラユニット２０９を起動し、処方箋に対する撮影とこの撮影で得たイメージでの文字認識処理またはコード読み取り処理を行い、処方箋データを取得する。アプリ２１２１は、この処方箋データを上述のインターフェイスに自動設定し、薬代確認支援サーバ１０に送信する。
【００５１】
一方、薬代確認支援サーバ１０は、ユーザ端末２から、処方箋データを含む情報提供のリクエストを受信し、当該処方箋データが示す処方薬に関して、各調剤薬局の薬代を算定する。また、算定した薬代とその調剤薬局のリストや、最安値の薬代と当該調剤薬局の情報など、適宜な情報をユーザ端末２に配信する。
【００５２】
他方、患者は、ユーザ端末２において、上述の処方箋を踏まえた、各調剤薬局での薬代の情報を漏れなく閲覧し、自身が所望する条件に合致する調剤薬局を特定・利用することが可能となる。
【００５３】
従来においては、そうした情報の閲覧・利用は思いも寄らないことであったが、本実施形態の薬代確認支援サーバ１０によれば、患者にとって、自身の経済的、地理的、時間的な各都合に応じた好ましい条件下での処方薬の購入を行えるよう、調剤薬局における薬代の情報が認識可能なようにオープンに提供されることになる。
【００５４】
これに対し調剤薬局では、薬局システム３を介し、上述のウェブサイトすなわち薬代確認支援サーバ１０に対して、自店の仕入れ情報３００を例えば定期的に又は薬代確認支援サーバ１０の要求に応じて配信する。そして、この配信を通じて、上述のウェブサイトでの選択対象店舗として患者それぞれに認識してもらい、処方薬の購入先として最終的に選択されやすくなる効果も期待できる。
【００５５】
従来であれば、自店での薬代の情報を各患者に的確に周知させることが困難で、決して小さくはない販売機会の取りこぼしが生じていたと推測されるが、本実施形態によれば、調剤薬局それぞれの存在自体とその薬代に関する情報を、処方薬の購入を考えている各患者に的確に周知させ、当該処方薬の販売機会の取りこぼしを抑制することにもつながる。
【００５６】
以下、本実施形態の薬代確認支援サーバ１０やユーザ端末２の具体的な構成や、その処理手順等について順次説明する。
【００５７】
＜薬代確認支援サーバの構成＞
本実施形態における薬代確認支援サーバ１０の構成は、図２に示すように、記憶部１１、メモリ１２、演算部１３、入力部１４、出力部１５、通信部１６、およびカメラユニット１７を備える。
【００５８】
このうち記憶部１１は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）といった不揮発性記憶素子で構成される。
【００５９】
記憶部１１には、本実施形態の薬代確認支援サーバとして必要な機能を実装する為のプログラム１１１に加え、施設基準情報３０、診療報酬情報３１、薬価情報３２、仕入れ情報３３、在庫情報３４、および混雑情報３５が少なくとも記憶されている。これらのデータベースの詳細については後述する。また、メモリ１２は、ＲＡＭなどの揮発性記憶素子で構成される。
【００６０】
また、演算部１３は、記憶部１１に保持されるプログラム１１１をメモリ１２に読み込んで実行し、薬代確認支援サーバとして必要な機能を実装するＣＰＵを想定する。ここで実装される機能は、基本料等算定部２０、薬剤料算定部２１、薬代算定部２２、情報配信部２３、情報取得部２４、および処方箋データ取得部２５である。これらの詳細については後述する。
【００６１】
また、入力部１４は、ユーザからのキー入力や音声入力を受け付けるキーボードやマウス、キーパッド、タッチパネル、マイク等を想定する。また、出力部１５は、処理データの表示を行うディスプレイ等を想定する。
【００６２】
また、通信部１６は、ネットワーク１と接続して、ユーザ端末２、薬局システム３、卸業者システム４、厚労省システム５、など他装置との通信処理を担うＮＩＣ（Ｎｅｔｗｏｒｋ  Ｉｎｔｅｒｆａｃｅ  Ｃａｒｄ）等を想定する。
【００６３】
なお、上述の入力部１４および出力部１５は、必須の構成ではない。これらは、薬代確認支援サーバ１０が、自身の入力部１４で患者からの指示を受け付け、その処理結果を出力部１５で表示する形態を想定する場合、必要となる構成である。
【００６４】
また、カメラユニット１７は、いわゆるデジタルカメラのユニットであり、情報取得部２４や処方箋データ取得部２５からの指示を受けて起動し、情報取得部２４や処方箋データ取得部２５における文字認識エンジンまたはコード読み取りエンジンに提供する画像データを撮影する。なお、本実施形態におけるカメラユニット１７が撮影対象とするのは、患者から得た調剤情報の一種である調剤明細書や処方箋を想定する。また、上述のコードは、バーコードやＱＲコード（登録商標）が想定できる。
【００６５】
＜ユーザ端末の構成＞
また、本実施形態のユーザ端末２の構成例を図３に示す。本実施形態におけるユーザ端末２は、記憶部２０１、メモリ２０３、演算部２０４、入力部２０５、出力部２０６、通信部２０７、ＧＰＳユニット２０８、およびカメラユニット２０９を備える。なお、ＧＰＳユニット２０８およびカメラユニット２０９については、既に説明したとおりである。
【００６６】
このうち記憶部２０１は、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）といった不揮発性記憶素子で構成される。
【００６７】
記憶２０１には、本実施形態のユーザ端末として必要な機能を実装する為のプログラム２０２として、アプリ２１２１が少なくとも記憶されている。このアプリ２１２１の機能等については既に説明したとおりである。また、メモリ２０３は、ＲＡＭなどの揮発性記憶素子で構成される。
【００６８】
また、演算部２０４は、記憶部２０１に保持されるプログラム２０２をメモリ２０３に読み込んで実行し、ユーザ端末として必要な機能を実装するＣＰＵを想定する。
【００６９】
また、入力部２０５は、ユーザからのキー入力や音声入力を受け付けるキーボードやマウス、キーパッド、タッチパネル、マイク等を想定する。また、出力部２０６は、処理データの表示を行うディスプレイ等を想定する。
【００７０】
また、通信部２０７は、ネットワーク１と接続して、薬代確認支援サーバ１０など他装置との通信処理を担うＮＩＣ（Ｎｅｔｗｏｒｋ  Ｉｎｔｅｒｆａｃｅ  Ｃａｒｄ）等を想定する。
【００７１】
＜データの具体例＞
次に、本実施形態の薬代確認支援サーバ１０が利用する各種の情報について説明する。図４に、本実施形態における施設基準情報３０の一例を示す。
【００７２】
本実施形態の施設基準情報３０は、厚労省システム５から得た施設基準情報５００を格納したデータベースである。その構造は、例えば、調剤薬局の所在都道府県および名称に対し、その所在地、連絡先、受理届出名称、受理記号、および受理番号といった値を対応づけたレコードの集合体となっている。
【００７３】
また、図５に本実施形態における診療報酬情報３１の一例を示す。本実施形態の診療報酬情報３１は、厚労省システム５から得た診療報酬情報５０１を格納したデータベースである。
【００７４】
その構造は、例えば、明細分類およびカテゴリに対し、受理届出名称、受理記号、および金額といったデータを対応づけたレコードの集合体となっている。
【００７５】
また、図６に本実施形態における薬価情報３２の一例を示す。本実施形態の薬価情報３２は、厚労省システム５から得た薬価情報５０２を格納したデータベースである。
【００７６】
その構造は、例えば、薬の種別、薬品コードの値をキー項目として、当該薬の成分、規格、商品名、メーカー、後発品情報、先発品情報、ジェネリック有無、および薬価といった値を対応づけたレコードの集合体となっている。
【００７７】
このうち「後発品情報」の項目に「後発品」の値が設定されている薬は、先行して開発された先発医薬品と同成分の薬、すなわちジェネリック医薬品であることを示す。
【００７８】
また、「先発品情報」の項目に「先発品」の値が設定されている薬は、他社に先駆けて開発された先発医薬品であることを示している。
【００７９】
また、「ジェネリック有無」の項目に「○」の値が設定されている薬は、本薬と同成分の後発医薬品、すなわちジェネリック医薬品が他社から発売されていることを示している。
【００８０】
また、図７に本実施形態における仕入れ情報３３の一例を示す。本実施形態の仕入れ情報３３は、各調剤薬局の薬局システム３から得た仕入れ情報３００（または卸業者システム４から得た納入情報４００であってもよい）を格納したデータベースである。
【００８１】
その構造は、例えば、調剤薬局の名称および伝票日付および伝票番号をキー項目として、取引対象とされた薬の、商品名・規格／容量、数量、単位薬価、包装薬価、納入単価、納入価、および消費税といったデータを対応づけたレコードの集合体となっている。
【００８２】
また、図８に本実施形態における在庫情報３４の一例を示す。本実施形態の在庫情報３４は、各調剤薬局の薬局システム３から得た在庫情報３０１を格納したデータベースである。
【００８３】
その構造は、例えば、調剤薬局の名称をキー項目として、取扱対象の薬の商品名・規格／容量、および在庫量といったデータを対応づけたレコードの集合体となっている。
【００８４】
また、図９に本実施形態における混雑情報３５の一例を示す。本実施形態の混雑情報３５は、各調剤薬局の薬局システム３から得た混雑情報３０２を格納したデータベースである。
【００８５】
その構造は、例えば、調剤薬局の名称をキー項目として、現在の混雑状況である待ち人数といったデータを対応づけたレコードの集合体となっている。勿論、この待ち人数は混雑状況を示す一例であって、現時点で来店した場合の待ち時間を採用するケースや、或いは、混雑状況を数段階のレベルで示す形態など、調剤薬局における混雑状況の監視／管理システムの仕様等に応じて適宜に採用すればよい。
【００８６】
また、図１０に本実施形態におけるコード変換情報３６の一例を示す。本実施形態のコード変換情報３６は、薬ごとに付与された複数種のコードを格納したデータベースである。
【００８７】
その構造は、例えば、薬のメーカー名及び品名をキー項目として、当該薬の成分、規格、薬価基準収載医薬品コード、ＪＡＮコード、一般名コード、ＨＯＴ番号、などといったデータを対応づけたレコードの集合体となっている。勿論、この図１０の例で記載したコードの種類はあくまでもスペースの関係で限定的に示したものであって、レセプト電算コード、ＹＪコード、など他の種類のコードについても定義されているものとする。
【００８８】
以後の説明における各処理において、薬代確認支援サーバ１０は、対象となる薬の各種データ、情報を参照、取得等する場合、その時点で得られているコードを、必要に応じてコード変換情報３６に照合して他種のコードを特定する。そしてここで特定した他種のコードをキーにデータや情報の参照、取得等を行う。
【００８９】
＜基本料等算定部の機能＞
薬代確認支援サーバ１０が備える機能は、既に述べたように、基本料等算定部２０、薬剤料算定部２１、薬代算定部２２、情報配信部２３、情報取得部２４、および処方箋データ取得部２５である。
【００９０】
このうち、基本料等算定部２０は、処方箋データが示す処方薬に関して、各調剤薬局の施設基準情報３０および診療報酬情報３１に基づき、処方薬の薬代のうち基本料等と調剤料を調剤薬局ごとに算定する機能部である。このうち基本料等は、調剤薬局によって異なりうる。一方、調剤料は調剤薬局に関わらず一定である。
【００９１】
基本料等の算定方式は、予め定められた既知のものであり、調剤基本料、後発医薬品調剤体制加算、地域支援体制加算、薬学管理料といった項目の値を適用して計算される。また、調剤料は調剤技術料であり、図５で例示した診療報酬情報３１における「調剤基本料」および「後発医薬品調剤体制加算」の各カテゴリにおける各受理届出名称の金額を、予め定められた既知の方式で演算したものとなる。
【００９２】
＜薬剤料算定部の機能＞
また、薬剤料算定部２１は、図６、７で例示した各調剤薬局に関する薬価情報３２および仕入れ情報３３の各情報に基づき、上述の処方薬の薬代のうち薬剤料を調剤薬局ごとに算定する機能部である。
【００９３】
薬剤料の算定は、当該薬（同成分・同規格）の薬価群と処方量を踏まえ、厚生労働省規定の算定式に沿って算定することで、その処方薬の価格すなわち薬剤料が算定できる。ただし、処方薬のうち仕入れ情報３３に情報が含まれている薬（該当調剤薬局で卸業者から仕入れた薬）については、薬価情報３２における同一成分の複数製品のうち、当該仕入れ情報３３が示す特定薬剤を特定した上で、当該特定薬剤の薬価（薬価情報３２にて特定）およびその処方量を踏まえ、厚生労働省規定の算定式に沿って算定を行えるため、特定薬局で処方され得る正確な薬剤料、もしくは薬剤料の値幅を提示できる。
【００９４】
一方、処方薬のうち仕入れ情報３３に情報が含まれていない薬については、薬価情報３２における同一成分の複数製品のうち特定薬剤を仕入れ情報３３に基づき特定できない。そのため、薬価情報３２における同一成分の複数製品について算定を行うことになり、仕入れ情報３３に基づき特定薬剤を特定した上で算定した薬剤料と比べ、算定結果の薬剤料に幅が生じる。
【００９５】
＜薬代算定部の機能＞
また、薬代算定部２２は、上述の基本料等算定部２０が算定した基本料等および調剤料と、薬剤料算定部２１が算定した薬剤料とを、調剤薬局ごとに集計し、各調剤薬局の薬代を算定する機能部である。
【００９６】
＜情報配信部の機能＞
また、情報配信部２３は、上述の薬代算定部２２が処方薬に関して算定した各調剤薬局の薬代のうち、少なくとも、最安値の薬代と当該調剤薬局の情報を、ユーザ端末２に配信する機能部である。これにより、患者としては、処方箋が示す処方薬を最も安価に購入できる調剤薬局の存在を認識可能となる。
【００９７】
この情報配信部２３は、算定した各調剤薬局の薬代のうち、少なくとも、最安値および最高値の各薬代と当該調剤薬局の情報を、ユーザ端末２に配信する。これにより、患者としては、処方箋が示す処方薬が、調剤薬局間でどのような値幅をもっているのか認識した上で、当該処方薬の購入を検討することができる。
【００９８】
また、情報配信部２３は、算定した各調剤薬局の薬代の高低に基づいて、各薬代と当該調剤薬局の情報をソートしたリストを生成し、このリストをユーザ端末２に配信することも可能である。上述のリストは、当然ながら最安値の薬代とその調剤薬局から、最高値の薬代とその調剤薬局に至る（全部または一部の）、各薬代とその調剤薬局の情報が列挙されている。
【００９９】
これをユーザ端末２で閲覧する患者としては、処方箋が示す処方薬が、調剤薬局間でどのような値幅をもっているのか俯瞰的にチェックし、最安値圏にどのような調剤薬局が存在し、最高値圏にどのような調剤薬局が存在するか、といった全体のイメージを把握しつつ、当該処方薬の購入を検討することができる。
【０１００】
なお、こうした情報配信部２３は、基本料等算定部２０における一連の算定に伴い得られた、基本料等が含む調剤基本料、後発医薬品調剤体制加算、地域支援体制加算、および服薬管理指導料、の少なくともいずれかの最安値から最高値の間の値幅を特定し、その情報をユーザ端末２に配信する（図１６〜２２参照）。
【０１０１】
また情報配信部２３は、当該処方薬に関して基本料等算定部２０における算定で得られた調剤料（調剤薬局間で差異が無い）の情報（図１６〜２２参照）も、例えばユーザ端末２からの指示に応じ表示させる。
【０１０２】
また情報配信部２３は、当該処方薬に対応する先発医薬品および後発医薬品の薬剤料に関する情報も（図１６〜２２参照）、例えばユーザ端末２からの指示に応じ表示させる。
【０１０３】
なお、情報配信部２３は、先発医薬品および後発医薬品の薬剤料として、仕入れ情報３３に含まれていない調剤薬局における後発医薬品に関して、薬価情報３２に基づく値幅をユーザ端末２に配信する。一方、仕入れ情報３３に含まれている調剤薬局における後発医薬品に関して、仕入れ情報３３に基づく値幅をユーザ端末２に配信するものとする。
【０１０４】
また、情報配信部２３は、例えばユーザ端末２での指定に応じて又は当該指定の有無に関係なく、処方薬に対応する先発医薬品または後発医薬品を在庫している、すなわち取り扱っている調剤薬局を在庫情報３４（ないし仕入れ情報３３）に基づき特定し、該当調剤薬局に関する情報をユーザ端末２に配信する（図２０等参照）。
【０１０５】
また、情報配信部２３は、上述のように調剤薬局が在庫し、当該処方薬に対応する先発医薬品または後発医薬品の一覧を、当該調剤薬局ごとの処方可能性のある薬剤一覧としてユーザ端末２に配信する。なお、この場合の先発医薬品または後発医薬品は、処方箋データまたはユーザ指定の特定メーカーの特定薬との概念を含みうる。
【０１０６】
また、情報配信部２３は、ユーザ端末２から当該ユーザの現在位置またはユーザ指定の場所の情報を取得し、当該ユーザ端末２に対する配信対象の情報のうち、当該現在位置または当該場所から所定の距離又は位置に存在する調剤薬局に関する情報を配信する（図１８〜２２等参照）。
【０１０７】
また、情報配信部２３は、例えばユーザ端末２での指定に応じて又は当該指定の有無に関係なく、薬局システム３から当該調剤薬局における混雑状況の情報すなわち混雑情報３０２を混雑情報３５として取得し、この混雑情報３５に基づいて、当該ユーザ端末２に対する配信対象の情報のうち混雑状況が所定レベル以下である調剤薬局に関する情報を配信する（図１８〜２２等参照）。
【０１０８】
また、情報配信部２３は、ユーザ端末２に対する上述の情報配信に応じて、当該ユーザによる調剤薬局の選択指示をユーザ端末２から受けた場合、当該ユーザの処方箋データを該当調剤薬局の端末（薬局システム３）に送信する（図２４等参照）。
【０１０９】
＜情報取得部の機能＞
また、薬代確認支援サーバ１０における情報取得部２４は、施設基準情報３０、診療報酬情報３１、薬価情報３２、仕入れ情報３３、在庫情報３４、および混雑情報３５を外部装置から取得する機能部である。
【０１１０】
この情報取得部２４は、例えば、所定期間の経過ごと又はユーザ端末２からの要求に応じて、施設基準情報５００、診療報酬情報５０１、および薬価情報５０２を、厚労省システム５から取得し、これを記憶部１１にて、施設基準情報３０、診療報酬情報３１、および薬価情報３２として格納する。
【０１１１】
また、情報取得部２４は、例えば、所定期間の経過ごと又はユーザ端末２からの要求に応じて、或いは、薬代確認支援方法における所定ステップの実行に伴い、仕入れ情報３００および在庫情報３０１を、各調剤薬局の薬局システム３または各卸業者の卸業者システム４から取得し、これを記憶部１１にて仕入れ情報３３および在庫情報３４として格納する。
【０１１２】
また、情報取得部２４は、例えば、所定期間の経過ごと又はユーザ端末２からの要求に応じて、或いは、薬代確認支援方法における所定ステップの実行に伴い、混雑情報３０２を各調剤薬局の薬局システム３から取得し、これを記憶部１１にて混雑情報３５として格納する。
【０１１３】
また、情報取得部２４は、調剤薬局から患者に提供された調剤情報の一種である調剤明細書に対する文字認識処理やコード読み取り処理により、または、ユーザ端末２または薬局システム３から調剤明細書のデータ（すなわち調剤情報のデータ）を受信することで、当該調剤薬局での当該処方薬の販売価格の情報を取得する。
【０１１４】
こうした調剤明細書に対する文字認識処理やコード読み取り処理は、情報取得部２４が、例えば薬代確認支援サーバ１０のユーザからの指示に応じて、カメラユニット１７を起動し、患者から得た調剤明細書に対する撮影とこの撮影で得たイメージに対する文字認識処理やコードの読み取り処理を行い、調剤明細書の記載データを取得する。
【０１１５】
本実施形態では、調剤情報の一例として調剤明細書の記載データを挙げて説明を行っているが、調剤情報としては調剤明細書の他にも、いわゆる、お薬手帳やその管理データ、など種々に想定できる。当然ながら、紙や樹脂等の媒体に印字し発行した情報、記憶装置ないし記憶媒体に格納・管理している情報、あるいは、電子メールやチャット、ＳＮＳといったコミュニケーションツールでの授受情報、などその形態は問わない。
【０１１６】
したがって、調剤情報が電子データとして管理されている形態のものである場合、情報取得部２４は、上述のごときカメラユニット１７による文字認識処理やコード読み取り処理に代えて、薬局システム３やユーザ端末２など、調剤情報を保持している適宜な装置から、調剤明細書の記載データと同様の情報を取得することとなる。
【０１１７】
また、情報取得部２４は、各患者の各調剤明細書から得た販売価格の情報を、調剤薬局ごとに集約することで、当該調剤薬局における取扱薬材の販売価格リストを生成し、当該販売価格リストを仕入れ情報３３として記憶部１１に格納する。
【０１１８】
薬局システム３から仕入れ情報３３を得られない状況下では、こうした調剤明細書に対する文字認識処理またはコード読み取り処理によって仕入れ情報３３を取得することは有用である。
【０１１９】
＜処方箋データ取得部＞
また、薬代確認支援サーバ１０における処方箋データ取得部２５は、患者が提示した処方箋に対する文字認識処理またはコード読み取り処理により、または、当該ユーザのユーザ端末２から処方箋の記載データを受信することで処方箋データを取得する機能部である。
【０１２０】
上述の文字認識処理またはコード読み取り処理は、処方箋データ取得部２５が、例えば薬代確認支援サーバ１０のユーザからの指示に応じて、カメラユニット１７を起動し、患者から得た処方箋に対する撮影とこの撮影で得たイメージでの文字認識処理またはコード読み取り処理を行い、処方箋データを取得する。
【０１２１】
＜薬代確認支援方法：情報取得手順＞
続いて、本実施形態における薬代確認支援方法の実際手順について図に基づき説明する。以下で説明する薬代確認支援方法に対応する各種動作は、例えば、薬代確認支援サーバ１０が実行するプログラムにより実装される。また、プログラムは、以下に説明される各種の動作を行うためのコードから構成されている。
【０１２２】
図１１は、本実施形態における薬代確認支援方法のフロー例１を示す図である。ここでは、薬代確認支援サーバ１０が、薬局システム３、卸業者システム４、および厚労省システム５から、処理に必要な情報を取得する手順について説明する。
【０１２３】
この場合、薬代確認支援サーバ１０の情報取得部２４は、例えば、１日や１週間など所定期間の経過ごと又はユーザ端末２からの要求に応じて、施設基準情報５００、診療報酬情報５０１、および薬価情報５０２を、厚労省システム５から取得する（ｓ１）。
【０１２４】
また、情報取得部２４は、ｓ１で得た各情報を、施設基準情報３０、診療報酬情報３１、および薬価情報３２として記憶部１１に格納する（ｓ２）。
【０１２５】
続いて、情報取得部２４は、ｓ１と同様、例えば所定期間の経過ごと又はユーザ端末２からの要求に応じて、仕入れ情報３００および在庫情報３０１を、各調剤薬局の薬局システム３または各卸業者の卸業者システム４から取得する（ｓ３）。
【０１２６】
また、情報取得部２４は、ｓ３で得た各情報を、仕入れ情報３３および在庫情報３４として記憶部１１に格納し（ｓ４）、処理を終了する。
【０１２７】
上述のフローでは、薬代確認支援サーバ１０が、薬局システム３、卸業者システム４、および厚労省システム５といった外部装置から必要な情報を取得する例を示したが、適宜な媒体（記録メディア、データ読み取り可能なメモリなど）から取得するとしてもよく、取得形態の限定はしない。
【０１２８】
また、図１２のフロー例２に示すように、情報取得部２４は、例えば、１０分など所定時間の経過ごと又はユーザ端末２からの要求に応じて、或いは、後述するフロー例５における所定ステップ（例：ステップｓ２７）の実行に合わせて、混雑情報３０２を、調剤薬局の薬局システム３から取得する（ｓ５）。
【０１２９】
また、情報取得部２４は、ｓ５で得た混雑情報３０２を、混雑情報３５として記憶部１１に格納する（ｓ６）。
【０１３０】
上述のフロー例１、２では、薬代確認支援サーバ１０が、薬局システム３から必要な情報を取得する例を示したが、適宜な媒体（記録メディア、データ読み取り可能なメモリなど）から取得するとしてもよく、取得形態の限定はしない。
【０１３１】
＜薬代確認支援方法：処方箋データ取得手順＞
図１３に、本実施形態における薬代確認支援方法のフロー例３を示す。ここで想定する状況の一例として、或る医療機関から処方箋を提供された患者が、自身の都合に応じて処方薬の購入を行いたいと考えているものとする。また、当該患者は自身のユーザ端末２のアプリ２１２１を操作して、その処方箋に対する文字認識処理またはコード読み取り処理のうち、例えば文字認識処理を実行したとする。この場合のアプリ２１２１は、文字認識処理で得た処方箋データを、薬代確認支援サーバ１０に送信してくる。
【０１３２】
この場合、薬代確認支援サーバ１０の処方箋データ取得部２５は、上述のユーザ端末２から送信されてきた処方箋の記載データ、すなわち処方箋データを受信する（ｓ１０）。
また、処方箋データ取得部２５は、ｓ１０で得た処方箋データを、記憶部１１またはメモリ１２の適宜な記憶領域に保持し（ｓ１１）、処理を終了する。
【０１３３】
処方箋データには、一般的な処方箋に記載されている情報のうち、例えば、処方薬の名称（特定メーカーの特定薬である場合と、そうした個別の指定がなく成分等による指定のみの場合の両ケースがありうる）、錠剤やカプセルといった形状、処方量、一回当たりの服薬量・回数、ジェネリック医薬品への変更可否、といった値が含まれるものとする。
【０１３４】
なお、患者が薬代確認支援サーバ１０の設置場所を訪れ、その処方箋に対する文字認識処理（またはコード読み取り処理）を薬代確認支援サーバ１０が実行し、処方箋データを取得する形態も想定しうる。その場合、処方箋データ取得部２５がカメラユニット１７を起動し、患者から得た処方箋に対する撮影とこの撮影で得た画像データでの文字認識処理（またはコード読み取り処理）を行い、処方箋データを取得する。
【０１３５】
＜薬代確認支援方法：仕入れ情報取得手順＞
図１４に本実施形態における薬代確認支援方法のフロー例４を示す。本実施形態の薬代確認支援サーバ１０は、薬局システム３などから仕入れ情報３３を取得出来ない状況が存在した場合、患者らから調剤明細書の提示を受け、この調剤明細書から抽出した情報で仕入れ情報３３を生成することが可能である。なお、上述の調剤明細書は、調剤薬局が患者に対し、処方薬の販売を行った際に提供する調剤明細書であり、販売対象となった薬の名称や処方量など種々の情報が記載されている。
【０１３６】
この場合、情報取得部２４は、調剤薬局から患者に提供された上述の調剤明細書に対する文字認識処理またはコード読み取り処理により、当該調剤薬局での当該処方薬の販売価格の情報を取得する（ｓ１５）。なお、調剤明細書に対する文字認識処理またはコード読み取り処理は、上述の処方箋に対するものと同様である。
【０１３７】
続いて、情報取得部２４は、ｓ１５で、各患者の各調剤明細書から得た販売価格の情報を、調剤薬局ごとに集約して、当該調剤薬局における取扱薬材の販売価格リストを生成する（ｓ１６）。この販売価格リストは、データ形式として仕入れ情報３３と同様のものとなる。
【０１３８】
また、情報取得部２４は、ｓ１６で生成した販売価格リストを、仕入れ情報３３として記憶部１１に格納し（ｓ１７）、処理を終了する。
【０１３９】
薬局システム３から仕入れ情報３３を得られない状況下では、こうした調剤明細書に対する文字認識処理またはコード読み取り処理によって仕入れ情報３３を取得することは有用である。
【０１４０】
なお、上述の例とは異なり、調剤明細書のデータをユーザ端末２から受信し、取得するとしてもよい。この場合、ユーザ端末２のアプリ２１２１は、当該調剤明細書に対する文字認識処理またはコード読み取り処理を実行し、その記載データの抽出と薬代確認支援サーバ１０への送信処理を実行するものとする。
【０１４１】
＜薬代確認支援方法：薬代算定および情報配信手順＞
図１５に、本実施形態における薬代確認支援方法のフロー例５を示す図である。ここでは、上述のフロー例１〜４での処理により、施設基準情報３０、診療報酬情報３１、薬価情報３２、仕入れ情報３３、在庫情報３４、および混雑情報３５が記憶部１１に保持されている状態を前提とする。ただし、本フローの実行に伴い、適宜なタイミングで上述のフロー例１〜４の一部または全部を実行し、処理に必要な情報を都度取得するとしてもよい。
【０１４２】
ここでまず、薬代確認支援サーバ１０の基本料等算定部２０は、図１３のフローで得ている処方箋データに基づき、当該処方箋データが示す処方薬に関して、各調剤薬局の施設基準情報３０および診療報酬情報３１に基づき、処方薬の薬代のうち基本料等と調剤料を調剤薬局ごとに算定する（ｓ２０）。このうち基本料等は、調剤薬局によって異なりうる。一方、調剤料は調剤薬局に関わらず一定である。
【０１４３】
基本料等の算定方式は、予め定められた既知のものであり、調剤基本料、後発医薬品調剤体制加算、地域支援体制加算、薬学管理料といった項目の値を適用して計算される。また、調剤料は調剤技術料であり、図５で例示した診療報酬情報３１における「調剤基本料」および「後発医薬品調剤体制加算」の各カテゴリにおける各受理届出名称の金額を、予め定められた既知の方式で演算したものとなる。
【０１４４】
続いて、薬代確認支援サーバ１０の薬剤料算定部２１は、図６、７で例示した各調剤薬局に関する薬価情報３２および仕入れ情報３３の各情報に基づき、上述の処方薬の薬代のうち薬剤料を調剤薬局ごとに算定する（ｓ２１）。
【０１４５】
薬剤料の算定は、例えば、処方薬のうち仕入れ情報３３に情報が含まれている薬（該当調剤薬局で卸業者から仕入れた薬）については、薬価情報３２における同一成分の複数製品中のうち当該仕入れ情報３３が示す特定薬剤を特定した上で、当該特定薬剤の薬価（薬価情報３２にて特定）およびその処方量を踏まえ、厚生労働省規定の算定式に沿って算定することで、その処方薬の価格すなわち薬剤料が算定できる。
【０１４６】
一方、処方薬のうち仕入れ情報３３に情報が含まれていない薬については、薬価情報３２における同一成分の複数製品中のうち特定薬剤を仕入れ情報３３に基づき特定できないため、当該複数製品に関して薬価情報３２が示す各薬価と処方量を踏まえ、厚生労働省規定の算定式に沿って薬剤料の算定を行うことになる。したがって、ここで得られる薬剤料は、薬価情報３２において仕入れ情報３３に基づき特定薬剤を特定した上で算定した薬剤料と比べ、算定結果の薬剤料に幅が生じる。
【０１４７】
続いて、薬代算定部２２は、上述の基本料等算定部２０が算定した基本料等および調剤料と、薬剤料算定部２１が算定した薬剤料とを、調剤薬局ごとに集計し、各調剤薬局の薬代を算定する（ｓ２２）。
【０１４８】
次に、情報配信部２３は、上述の薬代算定部２２が処方薬に関して算定した各調剤薬局の薬代のうち、少なくとも、最安値の薬代と当該調剤薬局の情報を、ユーザ端末２に配信する（ｓ２３）。
【０１４９】
こうした情報９０１の配信形態として、図１６にて画面９００を例示した。ただし、この画面９００における情報９０１の例では、情報配信部２３は、各調剤薬局の薬代のうち、最安値のみならず最高値の薬代と当該調剤薬局の情報も特定し、これを配信対象に含めている。
【０１５０】
これにより、患者としては、処方箋が示す処方薬を最も安価（図１６の例では、“￥１，９２０”）に購入できる調剤薬局（図１６の例では、“Ａ薬局Ｆ支店”）の存在と共に、最も高価（図１６の例では、“￥４，４４０”）に購入することになる調剤薬局（図１６の例では、“Ｘ薬局Ｂ支店”）の存在も認識可能となる。よって、患者としては、処方箋が示す処方薬が、調剤薬局間でどのような値幅をもっているのか十分認識した上で、当該処方薬の購入を検討することができる。
【０１５１】
画面９００で、最安値と最高値の各薬代と当該調剤薬局の情報９０１を閲覧した患者は、そうした情報９０１の明細を確認する意思を持ったとする。その場合の患者は、例えば「見込み価格の明細を見る」ことを指示するボタン９０２をクリックする。
【０１５２】
するとこのクリック事象を受けた情報配信部２３は（ｓ２４：Ｙ）、基本料等算定部２０における一連の算定に伴い得られた、基本料等が含む調剤基本料、後発医薬品調剤体制加算、地域支援体制加算、および服薬管理指導料、の少なくともいずれかの最安値から最高値の間の値幅を特定し、その情報をユーザ端末２に配信する（ｓ２５）。
【０１５３】
また情報配信部２３は、このｓ２５において、当該処方薬に関して基本料等算定部２０における算定で得られた調剤料（調剤薬局間で差異が無い）の情報もユーザ端末２に配信する。
【０１５４】
また情報配信部２３は、当該処方薬に対応する先発医薬品および後発医薬品の薬剤料に関する情報も、ユーザ端末２に配信する（ｓ２６）。
【０１５５】
こうしたｓ２５、ｓ２６で情報配信部２３がユーザ端末２に配信した画面９１０を、図１７に例示する。画面９１０は、基本料等が含む調剤基本料、後発医薬品調剤体制加算、地域支援体制加算、および服薬管理指導料、の最安値から最高値の間の値幅と、調剤料（調剤薬局間で差異が無い）に関する情報９１１を含んでいる。
【０１５６】
また、画面９１０には、当該処方薬に対応する先発医薬品および後発医薬品の薬剤料に関する情報９１２も含まれている。この情報９１２は、先発医薬品および後発医薬品の薬剤料として、仕入れ情報３３に含まれている調剤薬局における後発医薬品に関して、仕入れ情報３３に基づく値幅を示している。
【０１５７】
一方、情報配信部２３は、先発医薬品および後発医薬品の薬剤料として、仕入れ情報３３に含まれていない調剤薬局における後発医薬品に関しては、薬価情報３２に基づく値幅の情報９１３を画面９１０に含め配信する。
【０１５８】
上述の患者は画面９１０で明細を確認し、ＯＫボタン９１３をクリックしたとする。情報配信部２３は、これを受けて画面９１０を画面９００に遷移させる。そしてこの画面９００において、患者が絞込指定ボタン９０３をクリックしたとする。
【０１５９】
絞込指定ボタン９０３は、情報９０１で表示中の薬代が最安値から最高値の間に含まれる調剤薬局を、患者の都合に応じて絞り込む条件の指定操作を開始するボタンとなる。
【０１６０】
絞込指定ボタン９０３のクリック事象を受けた情報配信部２３は、図１８で例示する画面９２０をユーザ端末２に配信し、絞込の条件指定を受け付ける（ｓ２７）。
【０１６１】
画面９２０で示すように、絞込の条件としては、例えば、現在地付近、自宅付近、指定場所付近といった「場所」に関する条件９２１、９２２、マップ又はリストといった「表示形式」に関する条件９２３、９２４、該当処方薬の「在庫有無」に関する条件９２５、９２６、調剤薬局での待ち人数レベルといった「混雑状況」に関する条件９２７〜９２９、およびこれら各条件のうち最も優先すべき「優先条件」に関する条件９３０を想定する。
【０１６２】
勿論、これら全てが必須の絞込条件ではなく、患者や薬代確認支援サーバ１０の運用者の置かれた状況等に応じて適宜に選定すればよい。
【０１６３】
図１８の画面９２０での条件指定を受けた情報配信部２３は、その指定条件に応じて、例えば、患者の現在地付近から所定の距離（例：３ｋｍ圏内）又は位置（例：自治体名、特定住所、方角などの概念含む）に所在し、処方薬に対応する先発医薬品または後発医薬品を在庫している、すなわち取り扱っている調剤薬局を施設基準情報３０および在庫情報３４（ないし仕入れ情報３３）に基づき特定する。
【０１６４】
情報配信部２３は、ここで特定した調剤薬局のうち、待ち人数が「３人以下」の混雑状況であり、この混雑の無さを優先条件に選定した該当調剤薬局に関する情報をマップ形式ないしリスト形式でユーザ端末２に配信する（ｓ２８）。
【０１６５】
例えば、患者が、図１８の画面９２０において、場所の条件９２１として「現在地付近」、表示形式の条件９２３、９２４としてリスト形式９２４、在庫有無に関する条件として限定なし９２６、混雑状況として「待ち３人以下」という条件９２７、という条件選択がなされ、これらの条件のうち「混雑状況」に関して「混雑の無さ」を優先条件９３０として指定した場合、情報配信部２３は、図１９に例示する画面９３０をユーザ端末２に配信する。
【０１６６】
この画面９３０は、処方薬に対応した先発医薬品または後発医薬品を在庫しているか否かにかかわらず、患者の現在地から所定の距離又は位置に所在し、混雑の無さを最優先に選定した調剤薬局の情報をリスト表示したものとなる。
【０１６７】
ここで表示する情報としては、優先条件に関する情報（上記例では混雑状況）、調剤薬局の店舗名、患者の現在地からの距離、薬代の値幅といった情報が少なくとも含まれる。
【０１６８】
この画面９３０でわかるように、「Ａ調剤  飯田橋支店」と「Ｂ薬局  江戸川橋店」とでは、患者からの距離としては「Ｂ薬局  江戸川橋店」が近いが、混雑状況では「待ち無し」の「Ａ調剤  飯田橋支店」がリスト９３３の上位に配置されていることがわかる。
【０１６９】
なお、このリスト９３３の表示には、昇順ソート９３４および降順ソート９３５の各ボタンが配置されている。
【０１７０】
このうち昇順ソート９３４のボタンがクリックされた場合、情報配信部２３は、当該リスト９３３に含まれる各調剤薬局における薬代の低い順に、各薬代と当該調剤薬局の情報をソートしてリストを更新し、当該リストをユーザ端末２に配信する。
【０１７１】
一方、降順ソート９３５のボタンがクリックされた場合、情報配信部２３は、当該リスト９３３に含まれる各調剤薬局における薬代の高い順に、各薬代と当該調剤薬局の情報をソートしてリストを更新し、当該リストをユーザ端末２に配信する。
【０１７２】
なお、上述のソートに際して、対象とする薬代としては、通常は値幅のうち低い方（例：“Ａ調剤飯田橋支店”の“２,９６０円〜３,９９０円”の値幅うち“２,９６０円”）を想定するが、これに限定しない。
【０１７３】
また、この画面９３０におけるマップ９３１のボタンがクリックされた場合、情報配信部２３は、リスト９３３に含まれる各調剤薬局の情報に基づき、図２３の画面９４０と同様の画面を生成し、これをユーザ端末２に配信することとなる。こうした画面の生成手順等については画面９４０に関して後述するものと同様である。
【０１７４】
一方、図１８の画面９２０で、在庫有無に関する条件として在庫有のみ９２５、という条件選択がなされた場合、情報配信部２３は、図２０に例示する画面９３５をユーザ端末２に配信する。
【０１７５】
この図２０の画面９３５は、処方薬に対応した先発医薬品または後発医薬品を在庫しており、かつ患者の現在地から所定の距離又は位置にあって、混雑の無さを最優先に選定した調剤薬局の情報をリスト表示したものとなる。
【０１７６】
なお、情報配信部２３は、ユーザ端末２からの所定指示を受けて、上述のように調剤薬局が在庫し、当該処方薬に対応する先発医薬品または後発医薬品の一覧を、当該調剤薬局ごとの処方可能性のある薬剤一覧９３７としてユーザ端末２に配信するとしてもよい（図２１参照）。なお、この場合の先発医薬品または後発医薬品は、処方箋データまたはユーザ指定の特定メーカーの特定薬との概念を含みうる。
【０１７７】
また、図２２の画面９２０に示すように、上述の患者が、場所の条件９２１として「ご指定場所付近」で場所指定９２２を「霞が関駅」とし、表示形式としてマップ形式９２３、在庫有無に関する条件として限定なし９２６、という条件選択を行ったとする。
【０１７８】
その場合、情報配信部２３は、図２３に例示する画面９４０をユーザ端末２に配信する。なお、当然ながら、図１８〜図２０で例示した条件の組合せをこの例に更に適用し、調剤薬局を絞り込むとしても良い。
【０１７９】
この画面９４０は、当該患者が指定した「霞が関駅」を中心としたマップ９４１上で、処方薬に対応した先発医薬品または後発医薬品を在庫しているか否かにかかわらず、「霞が関駅」から所定の距離又は位置にある調剤薬局のオブジェクト９４２と、その情報のポップアップ９４３を配置したものとなる。このポップアップ９４３で表示する情報としては、調剤薬局の店舗名、指定場所からの距離、薬代の値幅といった情報が少なくとも含まれる。
【０１８０】
また、薬代確認支援サーバ１０は、この画面９４０を生成するため、各地のマップデータと、調剤薬局のオブジェクトデータ、といったデータを予め利用可能に保持しているものとする。
【０１８１】
例えば、薬代確認支援サーバ１０は、そうしたマップデータにおける各調剤薬局および患者指定の場所（例：現在位置駅或いは駅などの特定場所）それぞれの座標値に基づき、当該座標間の直線距離を算定し、上述の「所定距離」の範囲内の調剤薬局を特定することとなる。
【０１８２】
患者は、これまでに情報を確認した中で、処方薬購入を行う調剤薬局を決断した場合、例えば、図１９の画面９３０または図２０の画面９３５におけるリスト中の該当調剤薬局の表示領域、または、図２３の画面９４０における該当調剤薬局のオブジェクト、に対するクリック動作を行う。
【０１８３】
一方、情報配信部２３は、上述のクリック動作の対象となった調剤薬局に関して、当該患者による調剤薬局の選択指示があったと認識し、該当調剤薬局の詳細情報９５１（図２４の画面９５０参照）をユーザ端末２にあらためて送信し（ｓ２９）、処方箋データの送信指示を受け付ける。
【０１８４】
患者はこの画面９５０で詳細情報９５１を閲覧し、見込み価格の明細をボタン９５２で表示させて再確認するなどした上で、処方箋を送るボタン９５３をクリックする。
【０１８５】
情報配信部２３は、このボタン９５３のクリック事象を受けて、当該患者の処方箋データを該当調剤薬局の端末（薬局システム３）に送信し（ｓ３０）、処理を終了する。
【０１８６】
この調剤薬局の薬局システム３では、薬代確認支援サーバ１０から送信されてきた処方箋データを受信し、これに基づいて処方の準備を行い、患者の来訪を待つこととなる。
【０１８７】
以上、本開示を実施するための最良の形態などについて具体的に説明したが、本開示はこれに限定されるものではなく、その要旨を逸脱しない範囲で種々変更可能である。
【０１８８】
こうした本実施形態によれば、調剤薬局における薬代を効率的かつ好適な精度で確認可能となる。
【０１８９】
なお、薬代確認支援サーバを構成する各機能を実現するためのプログラムを、コンピュータで読み取り可能な記録媒体に記録し、この記録媒体に記録されたプログラムをコンピュータシステムに読み込ませ、指示することによって、本実施形態の薬代確認支援方法を実現するとしてもよい。
【０１９０】
具体的には、当該プログラムは、厚生労働省由来の所定情報と、各調剤薬局の取扱情報とを格納した記憶部を備える情報処理装置において、ユーザの処方箋データが示す処方薬に関して、前記所定情報に基づく調剤薬局ごとの基本料等と、前記所定情報および前記取扱情報に基づく調剤薬局ごとの薬剤料とを、調剤薬局ごとに集計して、各調剤薬局の薬代を算定するステップと、前記処方薬に関して算定した各調剤薬局の薬代のうち、少なくとも、最安値の薬代と当該調剤薬局の情報を、前記ユーザの端末に配信するステップと、を実行する動作をコンピュータによって実現するためのプログラムである。
【０１９１】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ、ＵＳＢメモリ等の可搬媒体、コンピュータシステムに内蔵されるハードディスクやＳＳＤ等の記憶装置のことをいう。
【０１９２】
さらに「コンピュータで読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。
【０１９３】
また、上記プログラムは、前述した機能の一部を実現するためのものであってもよく、さらに前述した機能をコンピュータシステムにすでに記録されているプログラムとの組み合わせで実現できるものであってもよい。
【符号の説明】
【０１９４】
１  ネットワーク
２  ユーザ端末
２０１  記憶部
２０２  プログラム
２１２１  アプリ
２０３  メモリ
２０４  演算部
２０５  入力部
２０６  出力部
２０７  通信部
２０８  ＧＰＳユニット
２０９  カメラユニット
３  薬局システム
４  卸業者システム
５  厚労省システム
１０  薬代確認支援サーバ
１１  記憶部
１１１  プログラム
１２  メモリ
１３  演算部
１４  入力部
１５  出力部
１６  通信部
１７  カメラユニット
２０  基本料等算定部
２１  薬剤料算定部
２２  薬代算定部
２３  情報配信部
２４  情報取得部
２５  処方箋データ取得部
３０  施設基準情報
３１  診療報酬情報
３２  薬価情報
３３  仕入れ情報
３４  在庫情報
３５  混雑情報
３６  コード変換情報
３００  仕入れ情報
３０１  在庫情報
３０２  混雑情報
４００  納入情報
５００  施設基準情報
５０１  診療報酬情報
５０２  薬価情報
【図１】
2020087225.tif 000003
【図２】
2020087225.tif 000004
【図３】
2020087225.tif 000005
【図４】
2020087225.tif 000006
【図５】
2020087225.tif 000007
【図６】
2020087225.tif 000008
【図７】
2020087225.tif 000009
【図８】
2020087225.tif 000010
【図９】
2020087225.tif 000011
【図１０】
2020087225.tif 000012
【図１１】
2020087225.tif 000013
【図１２】
2020087225.tif 000014
【図１３】
2020087225.tif 000015
【図１４】
2020087225.tif 000016
【図１５】
2020087225.tif 000017
【図１６】
2020087225.tif 000018
【図１７】
2020087225.tif 000019
【図１８】
2020087225.tif 000020
【図１９】
2020087225.tif 000021
【図２０】
2020087225.tif 000022
【図２１】
2020087225.tif 000023
【図２２】
2020087225.tif 000024
【図２３】
2020087225.tif 000025
【図２４】
2020087225.tif 000026
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
厚生労働省由来の各調剤薬局に関する施設基準、診療報酬、および薬価の各情報を含む所定情報と、各調剤薬局における仕入れ情報ないし卸業者における当該調剤薬局への納入情報を含む取扱情報とを格納した記憶部と、
ユーザの処方箋データが示す処方薬に関して、各調剤薬局の前記施設基準および前記診療報酬の各情報に基づき、処方薬の薬代のうち、調剤基本料、後発医薬品調剤体制加算、地域支援体制加算、および服薬管理指導料を含む基本料と、調剤料とを調剤薬局ごとに算定する基本料等算定部と、
前記各調剤薬局に関する前記薬価と前記仕入れ情報ないし前記納入情報との各情報に基づき、前記処方薬の薬代のうち薬剤料を調剤薬局ごとに算定する薬剤料算定部と、
前記算定した基本料、調剤料、および薬剤料を、調剤薬局ごとに集計して、各調剤薬局の薬代を算定する薬代算定部と、
前記処方薬に関して算定した各調剤薬局の薬代のうち、少なくとも、最安値の薬代と当該調剤薬局の情報を、前記ユーザの端末に配信する情報配信部を備え、
前記情報配信部は、一連の前記算定に伴い得られる、前記処方薬に対応する後発医薬品の薬剤料の情報として、仕入れ情報が無い調剤薬局における前記後発医薬品に関して、前記薬価に基づく値幅を前記ユーザの端末に配信し、仕入れ情報が有る調剤薬局における前記後発医薬品に関して、前記仕入れ情報に基づく値幅を前記ユーザの端末にさらに配信するものである、薬代確認支援サーバ。
【請求項２】
所定期間の経過ごと又は前記ユーザの端末からの要求に応じて、
前記施設基準、前記診療報酬、および前記薬価の各情報を、厚生労働省のシステムから取得して前記記憶部に格納し、前記仕入れ情報を、調剤薬局または卸業者のシステムから取得して前記記憶部に格納する、情報取得部を備える、
ことを特徴とする請求項１に記載の薬代確認支援サーバ。
【請求項３】
前記情報配信部は、
前記処方薬に関して算定した各調剤薬局の薬代のうち、少なくとも、最安値および最高値の各薬代と当該調剤薬局の情報を、前記ユーザの端末に配信するものである、
ことを特徴とする請求項１または２に記載の薬代確認支援サーバ。
【請求項４】
前記情報配信部は、
前記処方薬に関して算定した各調剤薬局の薬代の高低に基づいて各薬代と当該調剤薬局の情報をソートしたリストを生成し、当該リストを前記ユーザの端末に配信するものである、
ことを特徴とする請求項１〜３のいずれかに記載の薬代確認支援サーバ。
【請求項５】
前記情報配信部は、
一連の前記算定に伴い得られる、
前記基本料等が含む調剤基本料、後発医薬品調剤体制加算、地域支援体制加算、および服薬管理指導料、の少なくともいずれかの最安値から最高値の間の値幅、
前記処方薬に関して、調剤薬局間で差異が無い前記調剤料、
前記処方薬に対応する、先発医薬品および後発医薬品の薬剤料、
の少なくともいずれかの情報を、前記ユーザの端末に配信するものである、
ことを特徴とする請求項１〜４のいずれかに記載の薬代確認支援サーバ。
【請求項６】
前記情報配信部は、
前記情報を前記ユーザの端末に配信するに際し、前記処方薬に対応する先発医薬品または後発医薬品を在庫している調剤薬局を前記仕入れ情報に基づき特定し、該当調剤薬局に関する情報を前記ユーザの端末に配信するものである、
ことを特徴とする請求項１に記載の薬代確認支援サーバ。
【請求項７】
前記情報配信部は、
前記特定した調剤薬局が在庫し、前記処方薬に対応する先発医薬品または後発医薬品の一覧を、当該調剤薬局ごとの処方可能性のある薬剤一覧として前記ユーザの端末に配信するものである、
ことを特徴とする請求項６に記載の薬代確認支援サーバ。
【請求項８】
前記情報配信部は、
前記情報を前記ユーザの端末に配信するに際し、前記処方箋データまたは前記ユーザが指定する特定薬である先発医薬品または後発医薬品を在庫している調剤薬局を、前記仕入れ情報に基づき特定し、該当調剤薬局に関する情報を前記ユーザの端末に配信するものである、
ことを特徴とする請求項１に記載の薬代確認支援サーバ。
【請求項９】
前記情報配信部は、
前記情報を前記ユーザの端末に配信するに際し、前記ユーザの端末から当該ユーザの現在位置またはユーザ指定の場所の情報を取得し、前記配信の対象となっている情報のうち、前記現在位置または前記場所から所定の距離又は位置に存在する調剤薬局に関する情報を配信するものである、
ことを特徴とする請求項１〜８のいずれかに記載の薬代確認支援サーバ。
【請求項１０】
前記情報配信部は、
前記情報を前記ユーザの端末に配信するに際し、前記調剤薬局のシステムから当該調剤薬局における混雑状況の情報を取得し、前記配信の対象となっている情報のうち、前記混雑状況が所定レベル以下である調剤薬局に関する情報を配信するものである、
ことを特徴とする請求項１〜９のいずれかに記載の薬代確認支援サーバ。
【請求項１１】
前記情報配信部は、
前記情報の配信に応じて、前記ユーザによる調剤薬局の選択指示を前記ユーザの端末から受けた場合、前記処方箋データを前記調剤薬局の端末に送信するものである、
ことを特徴とする請求項１〜１０のいずれかに記載の薬代確認支援サーバ。
【請求項１２】
前記ユーザの処方箋に対する文字認識処理またはコード読み取り処理により、または、前記ユーザの端末から前記処方箋の記載データを受信することで前記処方箋データを取得する、処方箋データ取得部を備える、
ことを特徴とする請求項１〜１１のいずれかに記載の薬代確認支援サーバ。
【請求項１３】
前記情報取得部は、
調剤薬局から前記ユーザに提供された調剤情報に対する文字認識処理またはコード読み取り処理により、または、前記ユーザの端末または前記調剤薬局の端末から前記調剤情報のデータを受信することで、当該調剤薬局での前記処方薬の販売価格の情報を取得し、前記販売価格の情報を調剤薬局ごとに集約することで、当該調剤薬局における取扱薬材の販売価格リストを生成し、当該販売価格リストを前記仕入れ情報として記憶部に格納するものである、
ことを特徴とする請求項２に記載の薬代確認支援サーバ。
【請求項１４】
情報処理装置が、
厚生労働省由来の各調剤薬局に関する施設基準、診療報酬、および薬価の各情報を含む所定情報と、各調剤薬局における仕入れ情報ないし卸業者における当該調剤薬局への納入情報を含む取扱情報とを格納した記憶部を備えて、
ユーザの処方箋データが示す処方薬に関して、各調剤薬局の前記施設基準および前記診療報酬の各情報に基づき、処方薬の薬代のうち、調剤基本料、後発医薬品調剤体制加算、地域支援体制加算、および服薬管理指導料を含む基本料と、調剤料とを調剤薬局ごとに算定するステップと、
前記各調剤薬局に関する前記薬価と前記仕入れ情報ないし前記納入情報との各情報に基づき、前記処方薬の薬代のうち薬剤料を調剤薬局ごとに算定するステップと、
前記算定した基本料、調剤料、および薬剤料を、調剤薬局ごとに集計して、各調剤薬局の薬代を算定するステップと、
前記処方薬に関して算定した各調剤薬局の薬代のうち、少なくとも、最安値の薬代と当該調剤薬局の情報を、前記ユーザの端末に配信するに際し、一連の前記算定に伴い得られる、前記処方薬に対応する後発医薬品の薬剤料の情報として、仕入れ情報が無い調剤薬局における前記後発医薬品に関して、前記薬価に基づく値幅を前記ユーザの端末に配信し、仕入れ情報が有る調剤薬局における前記後発医薬品に関して、前記仕入れ情報に基づく値幅を前記ユーザの端末にさらに配信するステップと、
を実行する薬代確認支援方法。
【請求項１５】
厚生労働省由来の各調剤薬局に関する施設基準、診療報酬、および薬価の各情報を含む所定情報と、各調剤薬局における仕入れ情報ないし卸業者における当該調剤薬局への納入情報を含む取扱情報とを格納した記憶部を備える情報処理装置に、
ユーザの処方箋データが示す処方薬に関して、各調剤薬局の前記施設基準および前記診療報酬の各情報に基づき、処方薬の薬代のうち、調剤基本料、後発医薬品調剤体制加算、地域支援体制加算、および服薬管理指導料を含む基本料と、調剤料とを調剤薬局ごとに算定するステップと、
前記各調剤薬局に関する前記薬価と前記仕入れ情報ないし前記納入情報との各情報に基づき、前記処方薬の薬代のうち薬剤料を調剤薬局ごとに算定するステップと、
前記算定した基本料、調剤料、および薬剤料を、調剤薬局ごとに集計して、各調剤薬局の薬代を算定するステップと、
前記処方薬に関して算定した各調剤薬局の薬代のうち、少なくとも、最安値の薬代と当該調剤薬局の情報を、前記ユーザの端末に配信するに際し、一連の前記算定に伴い得られる、前記処方薬に対応する後発医薬品の薬剤料の情報として、仕入れ情報が無い調剤薬局における前記後発医薬品に関して、前記薬価に基づく値幅を前記ユーザの端末に配信し、仕入れ情報が有る調剤薬局における前記後発医薬品に関して、前記仕入れ情報に基づく値幅を前記ユーザの端末にさらに配信するステップと、
を実行させる薬代確認支援プログラム。
【手続補正２】
【補正対象書類名】明細書
【補正対象項目名】００１３
【補正方法】変更
【補正の内容】
【００１３】
上記目的を達成するために、本開示の一態様における薬代確認支援サーバは、厚生労働省由来の各調剤薬局に関する施設基準、診療報酬、および薬価の各情報を含む所定情報と、各調剤薬局における仕入れ情報ないし卸業者における当該調剤薬局への納入情報を含む取扱情報とを格納した記憶部と、ユーザの処方箋データが示す処方薬に関して、各調剤薬局の前記施設基準および前記診療報酬の各情報に基づき、処方薬の薬代のうち、調剤基本料、後発医薬品調剤体制加算、地域支援体制加算、および服薬管理指導料を含む基本料と、調剤料とを調剤薬局ごとに算定する基本料等算定部と、前記各調剤薬局に関する前記薬価と前記仕入れ情報ないし前記納入情報との各情報に基づき、前記処方薬の薬代のうち薬剤料を調剤薬局ごとに算定する薬剤料算定部と、前記算定した基本料、調剤料、および薬剤料を、調剤薬局ごとに集計して、各調剤薬局の薬代を算定する薬代算定部と、前記処方薬に関して算定した各調剤薬局の薬代のうち、少なくとも、最安値の薬代と当該調剤薬局の情報を、前記ユーザの端末に配信する情報配信部を備え、前記情報配信部は、一連の前記算定に伴い得られる、前記処方薬に対応する後発医薬品の薬剤料の情報として、仕入れ情報が無い調剤薬局における前記後発医薬品に関して、前記薬価に基づく値幅を前記ユーザの端末に配信し、仕入れ情報が有る調剤薬局における前記後発医薬品に関して、前記仕入れ情報に基づく値幅を前記ユーザの端末にさらに配信するものである。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
また、本開示の一態様における薬代確認支援サーバでは、所定期間の経過ごと又は前記ユーザの端末からの要求に応じて、前記施設基準、前記診療報酬、および前記薬価の各情報を、厚生労働省のシステムから取得して前記記憶部に格納し、前記仕入れ情報を、調剤薬局または卸業者のシステムから取得して前記記憶部に格納する、情報取得部を備える、としてもよい。 
【手続補正５】
【補正対象書類名】明細書
【補正対象項目名】００１９
【補正方法】削除
【補正の内容】
【手続補正６】
【補正対象書類名】明細書
【補正対象項目名】００２８
【補正方法】変更
【補正の内容】
【００２８】
上記目的を達成するため、本開示の一態様における薬代確認支援方法は、情報処理装置が、    厚生労働省由来の各調剤薬局に関する施設基準、診療報酬、および薬価の各情報を含む所定情報と、各調剤薬局における仕入れ情報ないし卸業者における当該調剤薬局への納入情報を含む取扱情報とを格納した記憶部を備えて、ユーザの処方箋データが示す処方薬に関して、各調剤薬局の前記施設基準および前記診療報酬の各情報に基づき、処方薬の薬代のうち、調剤基本料、後発医薬品調剤体制加算、地域支援体制加算、および服薬管理指導料を含む基本料と、調剤料とを調剤薬局ごとに算定するステップと、前記各調剤薬局に関する前記薬価と前記仕入れ情報ないし前記納入情報との各情報に基づき、前記処方薬の薬代のうち薬剤料を調剤薬局ごとに算定するステップと、前記算定した基本料、調剤料、および薬剤料を、調剤薬局ごとに集計して、各調剤薬局の薬代を算定するステップと、前記処方薬に関して算定した各調剤薬局の薬代のうち、少なくとも、最安値の薬代と当該調剤薬局の情報を、前記ユーザの端末に配信するに際し、一連の前記算定に伴い得られる、前記処方薬に対応する後発医薬品の薬剤料の情報として、仕入れ情報が無い調剤薬局における前記後発医薬品に関して、前記薬価に基づく値幅を前記ユーザの端末に配信し、仕入れ情報が有る調剤薬局における前記後発医薬品に関して、前記仕入れ情報に基づく値幅を前記ユーザの端末にさらに配信するステップと、を実行するものである。
【手続補正７】
【補正対象書類名】明細書
【補正対象項目名】００２９
【補正方法】変更
【補正の内容】
【００２９】
また、上記目的を達成するため、本開示の一態様における薬代確認支援プログラムは、厚生労働省由来の各調剤薬局に関する施設基準、診療報酬、および薬価の各情報を含む所定情報と、各調剤薬局における仕入れ情報ないし卸業者における当該調剤薬局への納入情報を含む取扱情報とを格納した記憶部を備える情報処理装置に、ユーザの処方箋データが示す処方薬に関して、各調剤薬局の前記施設基準および前記診療報酬の各情報に基づき、処方薬の薬代のうち、調剤基本料、後発医薬品調剤体制加算、地域支援体制加算、および服薬管理指導料を含む基本料と、調剤料とを調剤薬局ごとに算定するステップと、前記各調剤薬局に関する前記薬価と前記仕入れ情報ないし前記納入情報との各情報に基づき、前記処方薬の薬代のうち薬剤料を調剤薬局ごとに算定するステップと、前記算定した基本料、調剤料、および薬剤料を、調剤薬局ごとに集計して、各調剤薬局の薬代を算定するステップと、前記処方薬に関して算定した各調剤薬局の薬代のうち、少なくとも、最安値の薬代と当該調剤薬局の情報を、前記ユーザの端末に配信するに際し、一連の前記算定に伴い得られる、前記処方薬に対応する後発医薬品の薬剤料の情報として、仕入れ情報が無い調剤薬局における前記後発医薬品に関して、前記薬価に基づく値幅を前記ユーザの端末に配信し、仕入れ情報が有る調剤薬局における前記後発医薬品に関して、前記仕入れ情報に基づく値幅を前記ユーザの端末にさらに配信するステップと、を実行させるものである。
【手続補正書】
【提出日】令和1年5月24日(2019.5.24)
【手続補正１】
【補正対象書類名】特許請求の範囲
【補正対象項目名】請求項５
【補正方法】変更
【補正の内容】
【請求項５】
前記情報配信部は、
一連の前記算定に伴い得られる、
前記基本料が含む調剤基本料、後発医薬品調剤体制加算、地域支援体制加算、および服薬管理指導料、の少なくともいずれかの最安値から最高値の間の値幅、
前記処方薬に関して、調剤薬局間で差異が無い前記調剤料、
前記処方薬に対応する、先発医薬品および後発医薬品の薬剤料、
の少なくともいずれかの情報を、前記ユーザの端末に配信するものである、
ことを特徴とする請求項１〜４のいずれかに記載の薬代確認支援サーバ。
【手続補正２】
【補正対象書類名】明細書
【補正対象項目名】００１８
【補正方法】変更
【補正の内容】
【００１８】
また、本開示の一態様における薬代確認支援サーバでは、前記情報配信部は、一連の前記算定に伴い得られる、前記基本料が含む調剤基本料、後発医薬品調剤体制加算、地域支援体制加算、および服薬管理指導料、の少なくともいずれかの最安値から最高値の間の値幅、前記処方薬に関して、調剤薬局間で差異が無い前記調剤料、前記処方薬に対応する、先発医薬品および後発医薬品の薬剤料、の少なくともいずれかの情報を、前記ユーザの端末に配信するものである、としてもよい。